(57)【特許請求の範囲】
【請求項１】
一側面に大きく開放させて設けた開口部６から切込みした切欠９で上面に取出口装着窓４を形成し、かつ開口部６に側壁板７を着脱自在に装着させたカバーボックス１を設け、該カバーボックスには、上記開口部６を通じて一枚づつ取出し得るウェットティッシュペーパーその他の内容物が入ったパウチ２を着脱自在に収納し、該パウチ２上面には、上方へわずかに突出する取出口３を設けて、その突出部分外面へ周設した凹溝10へ上記切欠９の縁部を係合させることで、該取出口３を取出口装着窓４へ着脱自在に嵌合させ、
又上記側壁板７の上縁から取出口３へ向けて蓋板５を突設すると共に、該蓋板の基部に薄肉ヒンジ８を形成させることで、該蓋板をその取出口３へ着脱自在に嵌合させた
ことを特徴とする使い棄てのパウチを永続使用のカバーボックスに交換可能に収納した取出容器。
【請求項２】
上記取出口３内にウェットティッシュ等引出し用のスリット11入りの弾性変形自在な口栓12を嵌合させた
ことを特徴とする請求項１記載の使い棄てのパウチを永続使用のカバーボックスに交換可能に収納した取出容器。
【発明の詳細な説明】
【０００１】
【発明の属する技術分野】
本発明は、一枚づつ取り出し得るウエットティッシュペーパー、消毒ガーゼ、ドライティッシュペーパー等の内容物が入った使い捨てのパウチを永続使用のカバーボックスに交換可能に収納した取出容器に関するものである。
【０００２】
【従来の技術】
ウエットティッシュペーパーを収容して口部から一枚づつ引き出し得るようにし、その口部に開閉自在な気密性蓋体を備えた取出容器は、既によく知られている。
この種の容器は、プラスチック製が主流で、多くは使い捨てられているが、最近では、プラスチックゴミの低減等に鑑み、パウチと称される気密性の袋に収容した詰め替え用のウエットティッシュペーパーも出回るようになり、空になった取出容器を再度使用できるようになって来ている。
【０００３】
【発明が解決しようとする課題】
しかし、詰め替え用のウエットティッシュペーパーをパウチから出して空になった取出容器へと詰め替えるのはかなり面倒であり、また、詰め替えの際、消毒・殺菌されている詰め替え用ウエットティッシュペーパーに汚れた手を触れたのでは衛生上の問題が残り、折角の消毒・殺菌も無意味に帰することとなる。
そこで、本発明は、パウチに収容されたウエットティッシュペーパー等をパウチに入れたままで内装できるようにして、それらの問題点を解決しようとするものである。
【０００４】
【課題を解決するための手段】
上記目的達成のため、第１の手段として、一側面に大きく開放させて設けた開口部６から切込みした切欠９で上面に取出口装着窓４を形成し、かつ開口部６に側壁板７を着脱自在に装着させたカバーボックス１を設け、該カバーボックスには、上記開口部６を通じて一枚づつ取出し得るウェットティッシュペーパーその他の内容物が入ったパウチ２を着脱自在に収納し、該パウチ２上面には、上方へわずかに突出する取出口３を設けて、その突出部分外面へ周設した凹溝10へ上記切欠９の縁部を係合させることで、該取出口３を取出口装着窓４へ着脱自在に嵌合させ、又上記側壁板７の上縁から取出口３へ向けて蓋板５を突設すると共に、該蓋板の基部に薄肉ヒンジ８を形成させることで、該蓋板をその取出口３へ着脱自在に嵌合させた。
【０００５】
第２の手段として上記第１の手段を有すると共に、上記取出口３内にウェットティッシュ等引出し用のスリット11入りの弾性変形自在な口栓12を嵌合させた
ことを特徴とする請求項１記載の使い棄てのパウチを永続使用のカバーボックスに交換可能。
【０００７】
【発明の実施の形態】
図において、１は、長方形のカバーボックス、２は、該カバーボックスに内装させたウエットティッシュペーパー入りパウチであり、これらはいずれも合成樹脂製とする。
【０００８】
カバーボックス１は、上面の中央部に取出口装着窓４を設け、一側面に大きく開放させた開口部６を設け、かつ、該開口部に側壁板７を着脱自在に装備させており、該側壁板には、内面に嵌合短筒13を設けて、該嵌合短筒を上記開口部６の内縁に着脱自在に嵌合させている。
そして、取出口装着窓４は、上記開口部６から切り込んだ先端が円弧の切欠９にて形成している。
また、側壁板７の上縁から上記取出口装着窓４に対応させて蓋板５を突設するとともに、該蓋板の基部に薄肉ヒンジ８を形成して起倒自在にし、かつ、蓋板の内面にウエットティッシュペーパー入りパウチ２の取出口３へと着脱自在に嵌合させる栓筒14を設けている。
【０００９】
ウエットティッシュペーパー入りパウチ２は、長方体の気密・水密性の袋であり、上面中央に、平面形状円形で上方へとわずかに突出した取出口３を有し、該取出口の突出部の外周に凹溝10を周設して、該凹溝を上記切欠９の縁部へと摺動自在に係合させることで、該取出口３を上記取出口装着窓４に着脱自在に嵌合させている。
このようにして取出口装着窓４に嵌合させた取出口３には、蓋板５を栓筒14にて開閉自在に嵌合させることで、普段はその取出口３を閉じてウエットティッシュペーパーの乾燥と塵埃や雑菌の侵入を極力阻止するようにしている。
取出口３内には、スリット11入りの弾性変形自在な口栓12を嵌合させ、そのスリット11を通じて内部に収容したウエットティッシュペーパーを一枚づつ取り出し得るようにしている。ただし、市場に流通させる間は、取出口３の上面にタックシールを剥離可能に貼着して該取出口を密閉し、購入した需要者にこれを剥離させるようにしている。
【００１０】
如上の構成であるから、ウエットティッシュペーパーを取り出すときは、蓋板５を開け、取出口３から口栓12のスリット11を通じてウエットティッシュペーパーを引き出し、再び蓋板５を閉じればよい。
パウチ２内のウエットティッシュペーパーが無くなったときは、新たなウエットティッシュペーパー入りパウチ２を購入し、タックシールを剥がして、先のパウチと交換すればよい。
【００１１】
なお、上述の実施の形態では、使い捨てのパウチ２としてウエットティッシュペーパー入りのパウチを対象としているが、一枚づつ取り出し得る消毒ガーゼ、ドライティッシュペーパー等の内容物が入ったパウチであってもよい。
【００１２】
【発明の効果】
請求項１、請求項２の発明によれば、既述構成であるから、一枚づつ取り出し得るウエットティッシュペーパーその他の内容物が入ったパウチ２を、その内容物につき詰め替えることなくパウチに入れたままで使用でき、また、その着脱交換を極めて簡単かつ容易に行うことができ、したがって、従来の取出容器の場合のように、ウエットティッシュペーパー等の内容物をパウチから取り出して詰め替える面倒もなければ、消毒・殺菌されている詰め替え用の内容物に汚れた手を触れる不衛生も、折角の消毒・殺菌が無意味に帰することもない。更に、カバーボックス１内に内容物が入ったパウチ２を表出することなく収納できるから、卓上等での使用に頗る便利であり、取り扱い、持ち歩きに好都合であり、しかも、外観を美麗にできる。
【図面の簡単な説明】
【図１】請求項１乃至請求項２の発明に係る実施の形態を示す截断正面図である。
【図２】同実施の形態における説明斜視図である。
【図３】同実施の形態における要部の拡大断面図である。
【符号の説明】
１…カバーボックス
２…パウチ
３…取出口                    ４…取出口装着窓
５…蓋体                      ６…開口部
７…側壁板                    ８…薄肉ヒンジ
９…切欠                      10…凹溝
11…スリット                  12…口栓
13…嵌合短筒                  14…栓筒
【図１】
0003808214.tif 000002
【図２】
0003808214.tif 000003
【図３】
0003808214.tif 000004